(57)【要約】【課題】  監視映像データに重畳させて表示させる文字情報の表示内容を容易に変更することが可能なＣＣＴＶ監視システム、ＣＣＴＶ監視方法、およびこれらに利用する付加情報制御サーバを提供する。【解決手段】  複数の監視カメラ１１、１２ごとに設けられたエンコーダ２１、２２と、複数のモニタ５１、５２ごとに設けられたデコーダ４１、４２と、監視カメラ１１、１２で撮影された映像データに重畳する付加情報をエンコーダ２１、２２ごとまたはデコーダ４１、４２ごとに記憶し、この付加情報を対応するエンコーダ２１、２２またはデコーダ４１、４２に送信する付加情報制御サーバ８０とがネットワーク３０を介して接続され、エンコーダ２１、２２またはデコーダ４１、４２のいずれかにおいて付加情報制御サーバ８０から取得した付加情報を映像データに重畳する。【選択図】  図１
2009290699.tif 000002
【特許請求の範囲】
【請求項１】
複数の監視カメラごとに設けられたエンコーダと、複数のモニタごとに設けられたデコーダと、付加情報制御サーバとがネットワークを介して接続されたＣＣＴＶ監視システムにおいて、
前記付加情報制御サーバは、
前記監視カメラで撮影された映像データに重畳する付加情報を、前記エンコーダごとに記憶する付加情報記憶部と、
前記付加情報記憶部に記憶された付加情報を、対応するエンコーダに送信する付加情報重畳制御部と、
を有し、
前記エンコーダは、それぞれ、
接続された監視カメラで撮影された映像データを符号化するとともに、前記付加情報制御サーバから取得した付加情報を符号化した映像データに重畳する符号化部を有し、
前記デコーダは、それぞれ、
いずれかの前記エンコーダで符号化され前記付加情報が重畳された映像データを取得して復号し、重畳された付加情報とともに接続されたモニタに出力する復号部を有する
ことを特徴とするＣＣＴＶ監視システム。
【請求項２】
前記付加情報制御サーバの付加情報記憶部に記憶される付加情報は、予め設定された時間条件または前記監視カメラで撮影されたエリアの環境状態を示す可変数値条件ごとに異なるものであり、
前記付加情報制御サーバの付加情報重畳制御部は、現状に対応する条件の付加情報を前記付加情報記憶部から抽出して、対応するエンコーダに送信する
ことを特徴とする請求項１に記載のＣＣＴＶ監視システム。
【請求項３】
複数の監視カメラごとに設けられたエンコーダと、複数のモニタごとに設けられたデコーダと、付加情報制御サーバとがネットワークを介して接続されたＣＣＴＶ監視システムにおいて、
前記付加情報制御サーバは、
前記モニタに出力する映像データに重畳する付加情報を、前記デコーダごとに記憶する付加情報記憶部と、
前記付加情報記憶部に記憶された付加情報を、対応するデコーダに送信する付加情報重畳制御部と、
を有し、
前記エンコーダは、それぞれ、
接続された監視カメラで撮影された映像データを符号化する符号化部を有し、
前記デコーダは、それぞれ、
いずれかの前記エンコーダで符号化された映像データを取得して復号するとともに、前記付加情報制御サーバから取得した付加情報を復号した映像データに重畳して接続されたモニタに出力する復号部を有する、
ことを特徴とするＣＣＴＶ監視システム。
【請求項４】
前記付加情報制御サーバの付加情報記憶部は、予め設定された時間条件または前記監視カメラで撮影されたエリアの環境状態を示す可変数値条件ごとに異なる付加情報を記憶し、
前記付加情報制御サーバの付加情報重畳制御部は、現状に対応する条件の付加情報を前記付加情報記憶部から抽出して、対応するエンコーダに送信する
ことを特徴とする請求項３に記載のＣＣＴＶ監視システム。
【請求項５】
前記付加情報制御サーバは、前記付加情報を設定する設定指示または設定された付加情報を変更する変更指示を入力させるための付加情報設定画面データを記憶する付加情報設定画面記憶部をさらに有し、
前記付加情報制御サーバの付加情報記憶部に記憶された付加情報は、前記付加情報設定画面記憶部に記憶された付加情報設定画面データを使用して入力された前記設定指示または前記変更指示により、設定または変更される
ことを特徴とする請求項１〜４いずれか１項に記載のＣＣＴＶ監視システム。
【請求項６】
前記付加情報は、文字情報かまたは音声情報の少なくともいずれか一方を含む
ことを特徴とする請求項１〜５いずれか１項に記載のＣＣＴＶ監視システム。
【請求項７】
複数の監視カメラごとに設けられたエンコーダと、複数のモニタごとに設けられたデコーダと、付加情報制御サーバとがネットワークを介して接続されたＣＣＴＶ監視システムを利用したＣＣＴＶ監視方法であって、
前記付加情報制御サーバが、
前記監視カメラで撮影された映像データに重畳する付加情報を、前記エンコーダごとに記憶し、
記憶された付加情報を、対応するエンコーダに送信し、
前記エンコーダが、それぞれ、
接続された監視カメラで撮影された映像データを符号化するとともに、前記付加情報制御サーバから取得した付加情報を符号化した映像データに重畳し、
前記デコーダが、それぞれ、
いずれかの前記エンコーダで符号化され前記付加情報が重畳された映像データを取得して復号し、重畳された付加情報とともに接続されたモニタに出力する
ことを特徴とするＣＣＴＶ監視方法。
【請求項８】
前記付加情報制御サーバの付加情報記憶部に記憶される付加情報は、予め設定された時間条件または前記監視カメラで撮影されたエリアの環境状態を示す可変数値条件ごとに異なるものであり、
前記付加情報制御サーバは、記憶した付加情報の中から現状に対応する条件の付加情報を抽出して、対応するエンコーダに送信する
ことを特徴とする請求項７に記載のＣＣＴＶ監視方法。
【請求項９】
複数の監視カメラごとに設けられたエンコーダと、複数のモニタごとに設けられたデコーダと、付加情報制御サーバとがネットワークを介して接続されたＣＣＴＶ監視システムを利用したＣＣＴＶ監視方法であって、
前記付加情報制御サーバが、
前記監視カメラで撮影された映像データに重畳する付加情報を、前記デコーダごとに記憶し、
記憶された付加情報を、対応するデコーダに送信し、
前記エンコーダが、それぞれ、
接続された監視カメラで撮影された映像データを符号化し、
前記デコーダが、それぞれ、
いずれかの前記エンコーダで符号化され前記付加情報が重畳された映像データを取得して復号するとともに、前記付加情報制御サーバから取得した付加情報を復号した映像データに重畳して接続されたモニタに出力する
ことを特徴とするＣＣＴＶ監視方法。
【請求項１０】
前記付加情報制御サーバの付加情報記憶部に記憶される付加情報は、予め設定された時間条件または前記監視カメラで撮影されたエリアの環境状態を示す可変数値条件ごとに異なるものであり、
前記付加情報制御サーバは、記憶した付加情報の中から現状に対応する条件の付加情報を抽出して、対応するデコーダに送信する
ことを特徴とする請求項９に記載のＣＣＴＶ監視方法。
【請求項１１】
前記付加情報制御サーバは、前記付加情報を設定する設定指示または設定された付加情報を変更する変更指示を入力させるための付加情報設定画面データをさらに記憶し、
前記付加情報制御サーバに記憶された付加情報は、前記付加情報設定画面データを使用して入力された前記設定指示または前記変更指示により、設定または変更される
ことを特徴とする請求項７〜１０いずれか１項に記載のＣＣＴＶ監視方法。
【請求項１２】
前記付加情報は、文字情報かまたは音声情報の少なくともいずれか一方を含む
ことを特徴とする請求項７〜１１いずれか１項に記載のＣＣＴＶ監視方法。
【請求項１３】
複数の監視カメラごとに設けられたエンコーダと、複数のモニタごとに設けられたデコーダとに、ＣＣＴＶ監視システムのネットワークを介して接続された付加情報制御サーバにおいて、
前記監視カメラで撮影された映像データに重畳する付加情報を、前記エンコーダごとまたはデコーダごとに記憶する付加情報記憶部と、
前記付加情報記憶部に記憶された付加情報を、対応するエンコーダまたは対応するデコーダに送信する付加情報重畳制御部と、
を備えることを特徴とする付加情報制御サーバ。
【請求項１４】
前記付加情報記憶部に記憶される付加情報は、予め設定された時間条件または前記監視カメラで撮影されたエリアの環境状態を示す可変数値条件ごとに異なるものであり、
前記付加情報重畳制御部は、現状に対応する条件の付加情報を前記付加情報記憶部から抽出して、対応するエンコーダまたは対応するデコーダに送信する
ことを特徴とする請求項１３に記載の付加情報制御サーバ。
【発明の詳細な説明】
【技術分野】
【０００１】
本発明は、ＣＣＴＶ（Closed Circuit Television）監視カメラにより撮影された映像を監視するために利用するＣＣＴＶ監視システム、ＣＣＴＶ監視方法、およびこれらに利用する付加情報制御サーバに関する。
【背景技術】
【０００２】
従来、防犯、防災、計測および記録などの目的で遠隔地を監視するためのシステムとして、ＣＣＴＶを利用した閉回路の監視システムがある。このＣＣＴＶ監視システムでは、撮影した映像データに監視場所などの文字情報を重畳して表示することがある。
【０００３】
従来のＣＣＴＶ監視システム１００の構成を図７に示す。ＣＣＴＶ監視システム１００は、監視カメラ１１１または監視カメラ１１２で撮影された映像データが、それぞれのカメラ専用に設置されたエンコーダ１２１または１２２で符号化されるとともに予め登録された文字情報が重畳され、ネットワーク１３０に送出される。ネットワーク１３０に送出された符号化された映像データは、デコーダ１４１〜１４３のいずれかで復号された後、対応する各モニタ１５１、モニタ１５２、または外部の表示装置２００で受信され、重畳された文字情報とともに表示される。
【０００４】
図７においては、例えば監視カメラ１１１で撮影されエンコーダ１２１で符号化および文字情報の重畳が行われた映像データＡが、ネットワーク１３０を介してデコーダ１４１およびデコーダ１４３で復号された後モニタ１５１および外部の表示装置２００で文字情報とともに表示され、監視カメラ１１２で撮影されエンコーダ１２２で符号化および文字情報の重畳が行われた映像データＢが、ネットワーク１３０を介してデコーダ１４２で復号された後モニタ１５２で文字情報とともに表示される場合を示している。
【０００５】
このように構成された監視システムの一例として特許文献１に記載の技術があり、このシステムにより、監視カメラ毎の情報を文字情報として監視映像データに重畳して表示することができる。
【特許文献１】特開２００２−３５４４５５号公報
【発明の開示】
【発明が解決しようとする課題】
【０００６】
しかし、上述したようなＣＣＴＶ監視システム１００では、表示される文字情報は予め各エンコーダ１２１、１２２に登録された１パターンのものであるため、一の監視カメラで撮影された映像データに対してはモニタ側では常時全て同じ文字情報が表示されることになり、要求される文字情報の表示内容が時間ごとあるいはモニタごとなどの条件により異なる場合に、柔軟に対応できないという問題があった。
【０００７】
また、この従来のＣＣＴＶ監視システム１００において登録された文字情報の表示内容を変更するためには、ネットワーク１３０を介して各エンコーダ１２１、１２２に接続された設定端末（ＰＣ）１７０から、ブラウザ等を利用した設定画面で変更内容を変更の都度入力する必要があり、手間がかかるという問題があった。
【０００８】
よって本発明は、監視映像データに重畳させて表示させる文字情報の表示内容を容易に変更することが可能なＣＣＴＶ監視システム、ＣＣＴＶ監視方法、およびこれらに利用する付加情報制御サーバを提供することを目的とする。
【課題を解決するための手段】
【０００９】
上記目的を達成するための本発明の請求項１に記載のＣＣＴＶ監視システムは、複数の監視カメラごとに設けられたエンコーダと、複数のモニタごとに設けられたデコーダと、付加情報制御サーバとがネットワークを介して接続されたものであり、前記付加情報制御サーバは、前記監視カメラで撮影された映像データに重畳する付加情報を、前記エンコーダごとに記憶する付加情報記憶部と、前記付加情報記憶部に記憶された付加情報を、対応するエンコーダに送信する付加情報重畳制御部とを有し、前記エンコーダは、それぞれ、接続された監視カメラで撮影された映像データを符号化するとともに、前記付加情報制御サーバから取得した付加情報を符号化した映像データに重畳する符号化部を有し、前記デコーダは、それぞれ、いずれかの前記エンコーダで符号化され前記付加情報が重畳された映像データを取得して復号し、重畳された付加情報とともに接続されたモニタに出力する復号部を有することを特徴とする。
【００１０】
また、本発明の請求項２に記載のＣＣＴＶ監視システムは、請求項１に記載のＣＣＴＶ監視システムの前記付加情報制御サーバの付加情報記憶部に記憶される付加情報が、予め設定された時間条件または前記監視カメラで撮影されたエリアの環境状態を示す可変数値条件ごとに異なるものであり、前記付加情報制御サーバの付加情報重畳制御部は、現状に対応する条件の付加情報を前記付加情報記憶部から抽出して、対応するエンコーダに送信することを特徴とする。
【００１１】
また、本発明の請求項３に記載のＣＣＴＶ監視システムは、複数の監視カメラごとに設けられたエンコーダと、複数のモニタごとに設けられたデコーダと、付加情報制御サーバとがネットワークを介して接続されたものであり、前記付加情報制御サーバは、前記モニタに出力する映像データに重畳する付加情報を、前記デコーダごとに記憶する付加情報記憶部と、前記付加情報記憶部に記憶された付加情報を、対応するデコーダに送信する付加情報重畳制御部とを有し、前記エンコーダは、それぞれ、接続された監視カメラで撮影された映像データを符号化する符号化部を有し、前記デコーダは、それぞれ、いずれかの前記エンコーダで符号化された映像データを取得して復号するとともに、前記付加情報制御サーバから取得した付加情報を復号した映像データに重畳して接続されたモニタに出力する復号部を有することを特徴とする。
【００１２】
また、本発明の請求項４に記載のＣＣＴＶ監視システムは、請求項３に記載のＣＣＴＶ監視システムの前記付加情報制御サーバの付加情報記憶部は、予め設定された時間条件または前記監視カメラで撮影されたエリアの環境状態を示す可変数値条件ごとに異なる付加情報を記憶し、前記付加情報制御サーバの付加情報重畳制御部は、現状に対応する条件の付加情報を前記付加情報記憶部から抽出して、対応するエンコーダに送信することを特徴とする。
【００１３】
また、本発明の請求項７に記載のＣＣＴＶ監視方法は、複数の監視カメラごとに設けられたエンコーダと、複数のモニタごとに設けられたデコーダと、付加情報制御サーバとがネットワークを介して接続されたＣＣＴＶ監視システムを利用したＣＣＴＶ監視方法であって、前記付加情報制御サーバが、前記監視カメラで撮影された映像データに重畳する付加情報を、前記エンコーダごとに記憶し、記憶された付加情報を、対応するエンコーダに送信し、前記エンコーダが、それぞれ、接続された監視カメラで撮影された映像データを符号化するとともに、前記付加情報制御サーバから取得した付加情報を符号化した映像データに重畳し、前記デコーダが、それぞれ、いずれかの前記エンコーダで符号化され前記付加情報が重畳された映像データを取得して復号し、重畳された付加情報とともに接続されたモニタに出力することを特徴とする。
【００１４】
また、本発明の請求項８に記載のＣＣＴＶ監視方法は、請求項７に記載のＣＣＴＶ監視方法の前記付加情報制御サーバの付加情報記憶部に記憶される付加情報が、予め設定された時間条件または前記監視カメラで撮影されたエリアの環境状態を示す可変数値条件ごとに異なるものであり、前記付加情報制御サーバは、記憶した付加情報の中から現状に対応する条件の付加情報を抽出して、対応するエンコーダに送信することを特徴とする。
【００１５】
また、本発明の請求項９に記載のＣＣＴＶ監視方法は、複数の監視カメラごとに設けられたエンコーダと、複数のモニタごとに設けられたデコーダと、付加情報制御サーバとがネットワークを介して接続されたＣＣＴＶ監視システムを利用したＣＣＴＶ監視方法であって、前記付加情報制御サーバが、前記監視カメラで撮影された映像データに重畳する付加情報を、前記デコーダごとに記憶し、記憶された付加情報を、対応するデコーダに送信し、前記エンコーダが、それぞれ、接続された監視カメラで撮影された映像データを符号化し、前記デコーダが、それぞれ、いずれかの前記エンコーダで符号化され前記付加情報が重畳された映像データを取得して復号するとともに、前記付加情報制御サーバから取得した付加情報を復号した映像データに重畳して接続されたモニタに出力することを特徴とする。
【００１６】
また、本発明の請求項１０に記載のＣＣＴＶ監視方法は、請求項９に記載のＣＣＴＶ監視方法の前記付加情報制御サーバの付加情報記憶部に記憶される付加情報が、予め設定された時間条件または前記監視カメラで撮影されたエリアの環境状態を示す可変数値条件ごとに異なるものであり、前記付加情報制御サーバは、記憶した付加情報の中から現状に対応する条件の付加情報を抽出して、対応するデコーダに送信することを特徴とする。
【００１７】
また、本発明の請求項１３に記載の付加情報制御サーバは、複数の監視カメラごとに設けられたエンコーダと、複数のモニタごとに設けられたデコーダとに、ＣＣＴＶ監視システムのネットワークを介して接続されたものであり、前記監視カメラで撮影された映像データに重畳する付加情報を、前記エンコーダごとまたはデコーダごとに記憶する付加情報記憶部と、前記付加情報記憶部に記憶された付加情報を、対応するエンコーダまたは対応するデコーダに送信する付加情報重畳制御部とを備えることを特徴とする。
【００１８】
また、本発明の請求項１４に記載の付加情報制御サーバは、請求項１３に記載の付加情報制御サーバであり、前記付加情報記憶部に記憶される付加情報は、予め設定された時間条件または前記監視カメラで撮影されたエリアの環境状態を示す可変数値条件ごとに異なるものであり、前記付加情報重畳制御部は、現状に対応する条件の付加情報を前記付加情報記憶部から抽出して、対応するエンコーダまたは対応するデコーダに送信することを特徴とする。
【発明の効果】
【００１９】
本発明のＣＣＴＶ監視システム、ＣＣＴＶ監視方法、およびこれらに利用する付加情報制御サーバによれば、監視映像データに重畳させて表示させる文字情報の表示内容を容易に変更することができる。
【発明を実施するための最良の形態】
【００２０】
《第１実施形態》
本発明の第１実施形態によるＣＣＴＶ監視システムでは、撮影された監視対象エリアの映像データに、付加情報としての文字情報がエンコーダで重畳されて表示される場合について説明する。
【００２１】
〈第１実施形態にＣＣＴＶ監視システムの構成〉
本発明の第１実施形態によるＣＣＴＶ監視システム１Ａの構成について、図１を参照して説明する。
【００２２】
本実施形態によるＣＣＴＶ監視システム１Ａは、監視カメラ１１と、この監視カメラ１１に接続された映像符号化装置（エンコーダ）２１と、監視カメラ１２と、この監視カメラ１２に接続された映像符号化装置（エンコーダ）２２と、デコーダ４１と、このデコーダ４１に接続されたモニタ５１と、デコーダ４２と、このデコーダ４２に接続されたモニタ５２と、デコーダ４３と、ＣＣＴＶサーバ６０と、操作端末７０と、付加情報制御サーバ８０とを備え、エンコーダ２１とエンコーダ２２とデコーダ４１とデコーダ４２とデコーダ４３とＣＣＴＶサーバ６０と操作端末７０と付加情報制御サーバ８０とがネットワーク３０を介してそれぞれ接続されることにより、閉回路のＣＣＴＶ監視システムが構成されている。またデコーダ４３は、当該ＣＣＴＶ監視システム１Ａの外部の表示装置２に接続されている。
【００２３】
監視カメラ１１および監視カメラ１２は、それぞれ監視対象のエリアを撮影して映像データを送出する。
【００２４】
エンコーダ２１は、監視カメラ１１から送出された映像データである映像データＡを符号化するとともに、後述する付加情報制御サーバ８０の制御により映像データＡに文字情報を重畳してネットワーク３０に送出する。また、エンコーダ２２は、監視カメラ１２から送出された映像データである映像データＢを符号化するとともに、後述する付加情報制御サーバ８０の制御により映像データＢに文字情報を重畳してネットワーク３０に送出する。
【００２５】
デコーダ４１は、ＣＣＴＶサーバ６０の制御により、ネットワーク３０に送出されたデータのうち符号化された映像データＡを受信し、復号してモニタ５１に送出する。またデコーダ４２は、ＣＣＴＶサーバ６０の制御により符号化された映像データＢを受信し、復号してモニタ５２に送出する。またデコーダ４３は、ＣＣＴＶサーバ６０の制御により符号化された映像データＡを受信し、復号して外部の表示装置２に送出する。
【００２６】
モニタ５１およびモニタ５２は、文字情報が重畳された映像データＡまたは映像データＢを取得し、監視員に提供するために表示する。
【００２７】
ＣＣＴＶサーバ６０、操作端末７０、および付加情報制御サーバ８０の詳細な構成を、図２に示す。図２においては、ネットワーク３０の記載は省略しているが、各装置間（操作端末７０−付加情報制御サーバ８０間、付加情報制御サーバ８０−ＣＣＴＶサーバ６０間、付加情報制御サーバ８０−各エンコーダ間、ＣＣＴＶサーバ６０−各デコーダ間）の情報の送受信はネットワーク３０を介して行われる。
【００２８】
ＣＣＴＶサーバ６０は、デコーダごとに設定された復号する映像データの識別情報を、デコーダ設定情報として記憶するデコーダ設定情報記憶部６１と、このデコーダ設定情報に基づいて各デコーダの復号処理を制御するデコード制御部６２とを有する。
【００２９】
操作端末７０は、ユーザの操作により、後述する文字情報設定画面データを付加情報制御サーバ８０から取得する付加情報設定画面取得部７１と、この付加情報設定画面取得部７１で取得した文字情報設定画面データを使用して、ユーザの操作により、映像データに重畳する文字情報をエンコーダごとに設定する文字情報設定指示、または設定した文字情報を変更する文字情報変更指示を入力して付加情報制御サーバ８０に送信する付加情報設定部７２を有する。
【００３０】
付加情報制御サーバ８０は、操作端末７０により映像データに重畳する文字情報の設定または変更が行われる際に、文字情報設定指示または文字情報変更指示を入力させるための文字情報設定画面データを記憶する付加情報設定画面記憶部８１と、操作端末７０の付加情報設定部７２から送信された文字情報設定指示または文字情報変更指示に従って、映像データに重畳する文字情報をエンコーダごとに記憶する付加情報記憶部８２と、付加情報記憶部８２に記憶された文字情報が対応するエンコーダで重畳されるように制御する付加情報重畳制御部８３とを有する。
【００３１】
〈第１実施形態にＣＣＴＶ監視システムの動作〉
次に、本実施形態によるＣＣＴＶ監視システム１Ａにおいて、撮影された監視対象エリアの映像データに文字情報が重畳されて表示されるときの動作について、図３のシーケンス図を参照して説明する。
【００３２】
本実施形態においては、エンコーダ２１と、エンコーダ２２と、デコーダ４１と、デコーダ４２と、デコーダ４３と、ＣＣＴＶサーバ６０と、操作端末７０と、付加情報制御サーバ８０との間の情報の送受信は、ネットワーク３０を介して行われる。
【００３３】
また本実施形態において、復号する映像データの識別情報であるデコーダ設定情報として、デコーダ４１およびデコーダ４３では監視カメラ１１で撮影されエンコーダ２１で符号化された映像データＡを受信して復号し、デコーダ４２では監視カメラ１２で撮影されエンコーダ２２で符号化された映像データＢを受信して復号するように設定されているものとする（Ｓ１）。
【００３４】
まず、各エンコーダで映像データに重畳する文字情報を設定するため、ユーザの操作により操作端末７０の付加情報設定画面取得部７１において、付加情報制御サーバ８０の付加情報設定画面記憶部８１に記憶されている文字情報設定画面データが取得される（Ｓ２、Ｓ３）。
【００３５】
付加情報設定画面取得部７１において文字情報設定画面データが取得されると、ユーザの操作により付加情報設定部７２において、取得された文字情報設定画面データを使用して、映像データに重畳する文字情報を設定するための文字情報設定指示がエンコーダごとおよび予め設定された時間条件または各監視カメラで撮影されたエリアの環境状態を示す可変数値条件ごとに入力され、付加情報制御サーバ８０に送信される（Ｓ４）。
【００３６】
付加情報制御サーバ８０では、付加情報設定部７２から送信された文字情報設定指示に従って、各エンコーダに重畳する文字情報が付加情報記憶部８２に記憶される（Ｓ５）。
【００３７】
付加情報記憶部８２に記憶された各エンコーダに重畳する文字情報の一例を、図４に示す。
【００３８】
図４では、エンコーダ２１には、各監視カメラで撮影されたエリアの環境状態を示す可変数値として、監視位置情報と、気温情報と、雨量情報とが表示されるように設定されており、さらに気温情報の表示時間条件は午前９時〜午後１８時までの間であり、雨量情報は雨量が基準値である50mm/ｈ以記上であるときには赤文字でスクロール表示され、基準値未満であるときには青文字で表示されるように設定されている。また、エンコーダ２２には、監視位置情報が表示されるように設定されている。
【００３９】
このようにエンコーダごとの重畳する文字情報が付加情報制御サーバ８０の付加情報記憶部８２に設定され、またステップＳ１においてデコーダ設定情報がＣＣＴＶサーバ６０のデコーダ設定情報記憶部６１に設定されている状態で、各監視カメラで監視対象エリアの撮影が開始されると、監視カメラ１１で撮影されて得られた映像データＡがエンコーダ２１で符号化され、監視カメラ１２で撮影されて得られた映像データＢがエンコーダ２２で符号化される（Ｓ６）。
【００４０】
また、付加情報制御サーバ８０の付加情報記憶部８２に記憶されているエンコーダごとの重畳される文字情報のうち、現状に対応する文字情報が付加情報重畳制御部８３の制御により抽出され、対応するエンコーダに送信される（Ｓ７）。
【００４１】
各エンコーダでは、付加情報制御サーバ８０から送信された文字情報が符号化された映像データに重畳され、ネットワーク３０に送出される（Ｓ８）。
【００４２】
例えば現在時刻が午前１０時であれば、図４に基づいて、エンコーダ２１には監視位置情報と、気温情報と、雨量情報とが重畳される文字情報として送信され、エンコーダ２２には監視位置情報が重畳される文字情報として送信される。
【００４３】
各エンコーダで符号化されるとともに文字情報が重畳されてネットワーク３０に送出された映像データは、ＣＣＴＶサーバ６０のデコーダ設定情報記憶部６１に記憶されているデコーダ設定情報に従って対応するデコーダで受信され、復号される（Ｓ９、Ｓ１０）。
【００４４】
本実施形態においては、記憶されたデコーダ設定情報に従って、エンコーダ２１で符号化された映像データＡはデコーダ４１およびデコーダ４３で受信され、エンコーダ２２で符号化された映像データＢはデコーダ４２で受信されるようにデコード制御部６２により制御され、各デコーダにおいて受信された映像データが復号される。
【００４５】
このようにして、デコーダ４１で復号された映像データＡは重畳された文字情報とともにモニタ５１に表示され、デコーダ４２で復号された映像データＢは重畳された文字情報とともにモニタ５２に表示され、デコーダ４３で復号された映像データＡは重畳された文字情報とともに外部の表示装置２に表示され、それぞれ監視員による監視に提供される（Ｓ１１）。
【００４６】
文字情報とともに表示された映像データの例を、図５に示す。図５（ａ）はモニタ５１および外部の表示装置２に表示された映像データＡの一例であり、図５（ｂ）はモニタ５２に表示された映像データＢの一例である。
【００４７】
図５（ａ）に示すように映像データＡには、監視位置情報と、気温情報と、雨量情報とが重畳された映像が表示され、図５（ｂ）に示すように映像データＢには、監視位置情報が重畳されて表示される。
【００４８】
次に、各エンコーダで映像データに重畳する文字情報が変更されるときには、ユーザの操作により、操作端末７０の付加情報設定画面取得部７１において付加情報制御サーバ８０の付加情報設定画面記憶部８１に記憶されている文字情報設定画面データが取得される（Ｓ１２、Ｓ１３）。
【００４９】
付加情報設定画面取得部７１において文字情報設定画面データが取得されると、ユーザの操作により付加情報設定部７２において、取得された文字情報設定画面データを使用して、付加情報制御サーバ８０に設定されているエンコーダごとの文字情報を変更するための文字情報変更指示が入力され、付加情報制御サーバ８０に送信される（Ｓ１４）。
【００５０】
付加情報制御サーバ８０では、付加情報設定部７２から送信された文字情報変更指示に従って、付加情報記憶部８２に記憶されたエンコーダごとの文字情報が変更される（Ｓ１５）。
【００５１】
このように付加情報制御サーバ８０に記憶されているエンコーダごとの文字情報が変更された後、ステップＳ６〜Ｓ１１の処理が引き続き行われると、各監視カメラで撮影された映像データへ重畳される文字情報が変更されて各モニタに表示されるようになる。
【００５２】
以上の第１実施形態によれば、監視映像データに重畳させて表示させる文字情報の表示内容を、時間条件や雨量等の可変数値情報に基づく条件に応じて映像データごとに容易に設定および変更することができる。
【００５３】
《第２実施形態》
〈第２実施形態にＣＣＴＶ監視システムの構成〉
本発明の第２実施形態によるＣＣＴＶ監視システム１Ｂの構成は、第１実施形態における図１のＣＣＴＶ監視システム１Ａの構成と同様であるため、同一の機能を有する処理部の詳細な説明は省略する。
【００５４】
エンコーダ２１は、監視カメラ１１から送出された映像データである映像データＡを符号化してネットワーク３０に送出する。また、エンコーダ２２は、監視カメラ１２から送出された映像データである映像データＢを符号化してネットワーク３０に送出する。
【００５５】
デコーダ４１は、ＣＣＴＶサーバ６０の制御により、ネットワーク３０に送出されたデータのうち符号化された映像データＡをネットワーク３０を介して受信して復号し、この復号した映像データＡに、後述する付加情報制御サーバ８０の制御により取得する文字情報を重畳してモニタ５１に送出する。また、デコーダ４２は、ＣＣＴＶサーバ６０の制御により、ネットワーク３０に送出されたデータのうち符号化された映像データＢをネットワーク３０を介して受信して復号し、この復号した映像データＢに、後述する付加情報制御サーバ８０の制御により取得する文字情報を重畳してモニタ５２に送出する。また、デコーダ４３は、ＣＣＴＶサーバ６０の制御により、ネットワーク３０に送出されたデータのうち符号化された映像データＡをネットワーク３０を介して受信して復号し、この復号した映像データＡに、後述する付加情報制御サーバ８０の制御により取得する文字情報を重畳して外部の表示装置２に送出する。
【００５６】
操作端末７０は、ユーザの操作により、後述する文字情報設定画面データを付加情報制御サーバ８０から取得する付加情報設定画面取得部７１と、この付加情報設定画面取得部７１で取得した文字情報設定画面データを使用して、ユーザの操作により、映像データに重畳する文字情報をデコーダごとに設定する文字情報設定指示、または設定した文字情報を変更する文字情報変更指示を入力して付加情報制御サーバ８０に送信する付加情報設定部７２を有する。
【００５７】
付加情報制御サーバ８０は、操作端末７０により映像データに重畳する文字情報の設定または変更が行われる際に、文字情報設定指示または文字情報変更指示を入力させるための文字情報設定画面データを記憶する付加情報設定画面記憶部８１と、操作端末７０の付加情報設定部７２から送信された文字情報設定指示または文字情報変更指示に従って、映像データに重畳する文字情報をデコーダごとに記憶する付加情報記憶部８２と、付加情報記憶部８２に記憶された文字情報が対応するデコーダで重畳されるように制御する付加情報重畳制御部８３とを有する。
【００５８】
〈第２実施形態にＣＣＴＶ監視システムの動作〉
次に、本実施形態によるＣＣＴＶ監視システム１Ｂにおいて、撮影された監視対象エリアの映像データに文字情報が重畳されて表示されるときの動作について、図６のシーケンス図を参照して説明する。
【００５９】
本実施形態においても、第1実施形態の場合と同様に、復号する映像データの識別情報であるデコーダ設定情報として、デコーダ４１およびデコーダ４３では監視カメラ１１で撮影されエンコーダ２１で符号化された映像データＡを受信して復号し、デコーダ４２では監視カメラ１２で撮影されエンコーダ２２で符号化された映像データＢを受信して復号するように設定されているものとする（Ｓ２１）。
【００６０】
まず、各デコーダで映像データに重畳する文字情報を設定するため、ユーザの操作により操作端末７０の付加情報設定画面取得部７１において、付加情報制御サーバ８０の付加情報設定画面記憶部８１に記憶されている文字情報設定画面データが取得される（Ｓ２２、Ｓ２３）。
【００６１】
付加情報設定画面取得部７１において文字情報設定画面データが取得されると、ユーザの操作により付加情報設定部７２において、取得された文字情報設定画面データを使用して、映像データに重畳する文字情報を設定するための文字情報設定指示がデコーダごとおよび予め設定された時間条件または各監視カメラで撮影されたエリアの環境状態を示す可変数値条件ごとに入力され、付加情報制御サーバ８０に送信される（Ｓ２４）。
【００６２】
付加情報制御サーバ８０では、付加情報設定部７２から送信された文字情報設定指示に従って、デコーダごとの重畳する文字情報が付加情報記憶部８２に記憶される（Ｓ２５）。
【００６３】
このようにデコーダごとの重畳する文字情報が付加情報制御サーバ８０の付加情報記憶部８２に設定され、またステップＳ２１においてデコーダ設定情報がＣＣＴＶサーバ６０のデコーダ設定情報記憶部６１に設定されている状態で、各監視カメラで監視対象エリアの撮影が開始されると、監視カメラ１１で撮影されて得られた映像データＡがエンコーダ２１で符号化され、監視カメラ１２で撮影されて得られた映像データＢがエンコーダ２２で符号化される（Ｓ２６）。
【００６４】
符号化された映像データＡおよび映像データＢはネットワーク３０に送出され（Ｓ２７）、ＣＣＴＶサーバ６０のデコーダ設定情報記憶部６１に記憶されているデコーダ設定情報に従って対応するデコーダで受信され、復号される（Ｓ２８、Ｓ２９）。
【００６５】
本実施形態においては、記憶されたデコーダ設定情報に従って、エンコーダ２１で符号化された映像データＡはデコーダ４１およびデコーダ４３で受信されて復号され、エンコーダ２２で符号化された映像データＢはデコーダ４２で受信されて復号されるようにデコード制御部６２により各デコーダが制御される。
【００６６】
また、付加情報制御サーバ８０の付加情報記憶部８２に記憶されているデコーダごとの重畳される文字情報のうち、現状に対応する文字情報が、付加情報重畳制御部８３の制御により抽出され、対応するデコーダに送信される（Ｓ３０）。
【００６７】
そして、デコーダ４１では、復号された映像データＡに付加情報重畳制御部８３から送信されたデコーダ４１に対応する文字情報が重畳され、デコーダ４２では、復号された映像データＢに付加情報重畳制御部８３から送信されたデコーダ４２に対応する文字情報が重畳され、デコーダ４３では、復号された映像データＡに付加情報重畳制御部８３から送信されたデコーダ４３に対応する文字情報が重畳される（Ｓ３１）。
【００６８】
デコーダ４１で文字情報が重畳された映像データＡはモニタ５１に表示され、デコーダ４２で文字情報が重畳された映像データＢはモニタ５２に表示され、デコーダ４３で文字情報が重畳された映像データＡは外部の表示装置２に表示され、それぞれ監視員による監視に提供される（Ｓ３２）。
【００６９】
次に、各デコーダで映像データに重畳する文字情報が変更されるときには、ユーザの操作により、操作端末７０の付加情報設定画面取得部７１において付加情報制御サーバ８０の付加情報設定画面記憶部８１に記憶されている文字情報設定画面データが取得される（Ｓ３３、Ｓ３４）。
【００７０】
付加情報設定画面取得部７１において文字情報設定画面データが取得されると、ユーザの操作により付加情報設定部７２において、取得された文字情報設定画面データを使用して、付加情報制御サーバ８０に設定されているデコーダごとの文字情報を変更するための文字情報変更指示が入力され、付加情報制御サーバ８０に送信される（Ｓ３５）。
【００７１】
付加情報制御サーバ８０では、付加情報設定部７２から送信された文字情報変更指示に従って、付加情報記憶部８２に記憶したデコーダごとの文字情報が変更される（Ｓ３６）。
【００７２】
このように付加情報制御サーバ８０に記憶されているデコーダごとの文字情報が変更された後、ステップＳ２６〜Ｓ３２の処理が引き続き行われると、各監視カメラで撮影された映像データへ重畳される文字情報がデコーダ毎に変更されてモニタに表示されるようになる。
【００７３】
また、ＣＣＴＶサーバ６０に設定されているデコーダ設定情報が変更され、デコード制御部６２によりいずれかのデコーダで受信される映像データが変更されたときには、この変更に伴って付加情報制御サーバ８０からこのデコーダに送信される文字情報も変更される。
【００７４】
以上の第２実施形態によれば、監視映像データに重畳させて表示させる文字情報の表示内容を、条件に応じてモニタごとに容易に変更することができる。
【００７５】
本実施形態においては、文字情報をデコーダごとに設定する場合について説明したが、デコーダの数が多い場合などはデコーダをシステム内部用、外部配信用等の用途別にグループ分けし、このグループごとに文字情報を設定するようにしてもよい。
【００７６】
例えば、システム内部用としては「気温」、「雨量」などの可変情報や撮影位置情報「国道○号  ○○kp」などの文字情報を設定し、外部配信用としては映像データの提供元「○○  提供」や撮影位置情報「○○市○○町○○交差点」などの文字情報を設定するなど、それぞれのグループごとの供給先に応じた文字情報を設定することができる。
【００７７】
上記の第１実施形態および第２実施形態においては、付加情報制御サーバ８０とＣＣＴＶサーバ６０とが別装置である場合について説明したが、付加情報制御サーバ８０の機能をＣＣＴＶサーバ６０内に設けるように構成してもよい。
【００７８】
また、上記の第１実施形態および第２実施形態においては、映像データに付加する情報が文字情報のみである場合について説明したが、映像データごとまたはモニタごと等に設定された音声情報も併せて付加し、各モニタで出力されるようにしてもよい。
【図面の簡単な説明】
【００７９】
【図１】本発明の第１実施形態および第２実施形態によるＣＣＴＶ監視システム１Ａ、２の構成を示す全体図である。
【図２】本発明の第１実施形態によるＣＣＴＶ監視システム１ＡのＣＣＴＶサーバ６０、操作端末７０、付加情報制御サーバ８０の構成を示すブロック図である。
【図３】本発明の第１実施形態によるＣＣＴＶ監視システム１Ａの動作を示すシーケンス図である。
【図４】本発明の第１実施形態によるＣＣＴＶ監視システム１Ａの付加情報制御サーバ８０の付加情報記憶部８２に記憶された各エンコーダに重畳する文字情報の一例を示す表である。
【図５】本発明の第１実施形態によるＣＣＴＶ監視システム１Ａの、（ａ）モニタ５１および外部の表示装置２に表示された映像データＡの一例を示す画面構成図、および（ｂ）モニタ５２に表示された映像データＢの一例を示す画面構成図である。
【図６】本発明の第２実施形態によるＣＣＴＶ監視システム１Ｂの動作を示すシーケンス図である。
【図７】従来のＣＣＴＶ監視システム１００の構成を示す全体図である。
【符号の説明】
【００８０】
１Ａ、１Ｂ…ＣＣＴＶ監視システム
２…表示装置
１１、１２…監視カメラ
２１、２２…エンコーダ
３０…ネットワーク
４１〜４３…デコーダ
５１，５２…モニタ
６０…ＣＣＴＶサーバ
６１…デコーダ設定情報記憶部
６２…デコード制御部
７０…操作端末
７１…付加情報設定画面取得部
７２…付加情報設定部
８０…付加情報制御サーバ
８１…付加情報設定画面記憶部
８２…付加情報記憶部
８３…付加情報重畳制御部
【図１】
2009290699.tif 000003
【図２】
2009290699.tif 000004
【図３】
2009290699.tif 000005
【図４】
2009290699.tif 000006
【図５】
2009290699.tif 000007
【図６】
2009290699.tif 000008
【図７】
2009290699.tif 000009